(57)【要約】  様々な周波数の低周波電磁波インパルスの照射量を調整可能な周波刺激機器であって、ヘッドバンドに内蔵の誘導コイルに周波を供給可能な携帯電話機、タブレット、ラップトップ、その他の機器を用いて低周波電磁場を発生させることで、人間の脳に作用して有利な効果を及ぼし、脳内の様々な意識状態を作り出すことを目的とするものである。誘導コイル内蔵のヘッドバンドに電源を接続してもよい。周波インパルスの高さ、波形、持続時間は、ＧＳＭその他の電源にインストールされたソフトウェアによって調整される。【選択図】図１
2018512049.tif 000002
【特許請求の範囲】
【請求項１】
様々な周波数の低周波電磁波インパルスの照射量を調整可能な周波刺激機器であって、
低周波インパルス発生器を用いずに、人体頭部に適用される環状部に設置された誘導コイルに周波を供給可能な携帯電話機、タブレット、ラップトップ、その他の機器を用いることを特徴とする周波刺激機器。
【請求項２】
様々な電磁波インパルスの照射量を調整可能な請求項１に記載の周波刺激機器であって、
誘導コイルに周波を供給可能な携帯電話機、タブレット、ラップトップ、その他の機器が、環状部と引き込みケーブルで接続されていることを特徴とする周波刺激機器。
【請求項３】
様々な電磁波インパルスの照射量を調整可能な請求項１に記載の周波刺激機器であって、
誘導コイルに周波を供給可能な携帯電話機、タブレット、ラップトップ、その他の機器が、環状部と無線接続されていることを特徴とする周波刺激機器。
【請求項４】
様々な電磁波インパルスの照射量を調整可能な請求項１に記載の周波刺激機器であって、
誘導コイルに周波を供給可能な携帯電話機、タブレット、ラップトップ、その他の機器が、所定のソフトウェアのインストールを要するものであることを特徴とする周波刺激機器。
【請求項５】
様々な電磁波インパルスの照射量を調整可能な請求項１に記載の周波刺激機器であって、
誘導コイルに周波を供給可能な携帯電話機、タブレット、ラップトップ、その他の機器が、機器の種類に応じてソフトウェアによって規定される時間の間、強度０．６ｍＴ、周波数０．１Ｈｚ〜３０Ｈｚの矩形波インパルスを発生することを特徴とする周波刺激機器。
【請求項６】
様々な電磁波インパルスの照射量を調整可能な請求項１に記載の周波刺激機器であって、
誘導コイルがヘッドバンドに内蔵されていることを特徴とする周波刺激機器。
【請求項７】
様々な電磁波インパルスの照射量を調整可能な請求項６に記載の周波刺激機器であって、
ヘッドバンドが２以上の誘導コイルを備えることを特徴とする周波刺激機器。
【請求項８】
様々な電磁波インパルスの照射量を調整可能な請求項６に記載の周波刺激機器であって、
２つの音響再生装置（イヤフォン）がヘッドバンドに内蔵されていることを特徴とする周波刺激機器。
【請求項９】
様々な電磁波インパルスの照射量を調整可能な請求項６に記載の周波刺激機器であって、
光源がヘッドバンドに内蔵されていることを特徴とする周波刺激機器。
【発明の詳細な説明】
【技術分野】
【０００１】
自然環境において電磁場は至る所に存在するが、人間の目には見えない。人間は日常的に、様々な周波数・強度の電磁場の発生源に取り囲まれている。例えば、方位磁針に作用する地磁気、電力線、電子レンジ、テレビ、コンピュータ端末、ヘアドライヤー、監視システム、携帯電話などである。
【背景技術】
【０００２】
複数の研究結果により、低強度・極低周波のインパルス性電磁場が血液中の酸素の増加（遷移の速度上昇）を促し、血液循環及び細胞内代謝を促進することが分かっている。その結果として、睡眠の質の向上、痛みの緩和、炎症の沈静、エネルギーレベルの上昇、骨の治療促進などの効果が見られる。
【先行技術文献】
【特許文献】
【０００３】
【特許文献１】米国特許出願公開第２００５／１５４４２５号
【特許文献２】スロベニア国特許第ＳＩ９５０００４８号
【特許文献３】スロベニア国特許第ＳＩ９８００１０８号
【特許文献４】独国特許第１０３０４８５号
【特許文献５】欧州特許第０９９５４６３号
【特許文献６】国際公開ＷＯ１９９９／０６６９８６号パンフレット
【特許文献７】国際出願ＰＣＴ／ＵＳ／０５／０３１８６７号
【発明の概要】
【発明が解決しようとする課題】
【０００４】
本発明は、新規の製品に関するものであり、その技術的思想をこの明細書において明らかにする。
本発明の実施形態には、適した周波数を発生させるスマートフォン、タブレット、ラップトップ、及び／又は他のプログラマブルデバイスを利用する、誘導コイルを備えたヘッドバンドが含まれる。この機器を、本明細書では、ＧＳＭ（Global System for Mobile communications：移動体通信のためのグローバルシステム−原語ではGroupe Special Mobile）と呼ぶ。ＧＳＭは、その動力を用いて周波数振幅を発生させることが可能な、低周波刺激発生器として機能するあらゆる機器を示すものとする。
本発明の実施形態には、人体に対して低周波刺激を発する発振器として機能する、誘導コイルを内蔵したヘッドバンドが含まれる。ヘッドバンドが人間の頭に周波を伝達するものもある。
【課題を解決するための手段】
【０００５】
本発明の実施形態として、次のような機器が提供される。
頭部に着用する周波刺激機器。
この機器は人体、より正確には頭部に対し、様々な周波数の電磁波（ＥＭＷ）インパルスを放射することで、作用する。この電磁波は、脳の各部位に対して良好な作用を及ぼし、（電磁波の強度と周波数に応じて）脳の機能に様々な好影響を与え、あるいは脳の特定の部位を新たに集中活用しての機能向上に資するものである。誘導コイルを構成する銅線（あるいは他の適切な材料）の巻き数・断面積、鉄芯（あるいは他の適切な材料）の表面積に応じて、使用する電流値を調整して、最適な周波数を得ることができる。
【０００６】
下記の周波刺激機器のいくつかの実施形態において、発生するインパルスの強度は０．６ｍＴであるが、これは脳とその機能に影響を及ぼすのに十分な強度である一方で、許可された上限値である１００ｍＴよりもずっと低い値であって、人体に有害な影響を及ぼすものではない。人体により周波を感知して望ましい周波数へと調整するのにちょうど適した強度であり、発生する電磁波インパルスによって有害な影響を受けることはない。
【０００７】
本出願における以下の段落において、我々は世界で初めて、携帯電話機−ＧＳＭなどの機器をＥＭＷの発生源として注目した。我々のソフトウェアによってアップグレードされたＧＳＭは、低周波インパルスの発生源として機能するが、これが（本発明の主題である）装置の主要部分である。本出願の装置は、コイルを備えたヘッドバンドであり、脳の個々の部位に有利な効果を及ぼすことができる周波数のＥＭＷを発生するものである。
【０００８】
本発明のいくつかの実施形態における主題である革新的な課題解決方法によって、ＧＳＭ機器及びａｎｄｒｏｉｄ（登録商標）ＯＳ（あるいは他の適切なＯＳ）は、低周波インパルスの発生源たる装置となる。この装置は通常、水晶によって、一般的な装置使用時の常温（通常は室温）において精確で安定したＥＭＷ周波数を実現できるよう安定化されている。いくつかの実施形態で実現されるこの仕組みにより、ユーザは高価な低周波インパルス発生器を購入する必要がなくなる。このような発生器は、既に一般市場において、様々な周波数帯域及び価格帯の電子機器として購入可能である。
【０００９】
一方、いくつかの実施形態において、本装置（ヘッドバンド）は、２つの部品からなる。第１の部品は骨格となる環状部である。環状部はプラスチック製、木製、中空のゴム製、あるいはこれらに類似する所定の弾性、偏向性、伸縮性を有する材料で形成することができる。第２の部品は様々な周波数のＥＭＷを発生する誘導コイルである。いくつかの実施形態において、誘導コイルは、鉄心（Ｆｅ）に銅ワイヤ（Ｃｕ）を巻回したエンベロープを有する電力授受装置である。この誘導コイルは、様々な周波数の低周波ＥＭＷインパルスを発生する誘導発振器であり、ミリアンペア（ｍＡ）単位の様々な強度のインパルス性の電流を印加することにより制御される。選択した電流値を供給することで、誘導コイルは０．０３〜０．０８Ｔの間で所望の強度のＥＭＰ（電磁パルス）を有する電磁場を発生する。これらの値については、本発明の主題である技術革新を説明する段落においてさらに説明する。
【００１０】
いくつかの実施形態では、市場で調達可能な既存材料の利用に関しても、本発明の提唱する処理方法より高い付加価値を与えることで、技術的・構造的な課題解決方法を提供する。ここで開示する処理システム及び処理方法よって、いくつかの実施形態で言及する材料及び電子装置は、技術的・応用的機能を実現する新規な製品と位置づけられることになる。
【００１１】
いくつかの実施形態において、技術的に問題となるのは、内蔵の誘導コイルとＧＳＭ装置との接続をソフトウェア的に解決したヘッドバンドを如何にして製造できるかということである。ソフトウェア的解決は本発明の主題ではないが、ソフトウェア的解決によって、人体、脳などの各部位にゆり泣こうかを与えるＥＭＷを発生するためのインパルス形成用の電流強度を決定することができる。
【００１２】
他の重要な技術的課題解決は、既に上述したように、本システム及び方法によって、従来の低周波インパルス発生器が担っていたエネルギー源としての機能が、ＧＳＭ装置に新たな機能性として付加されることである。
【００１３】
本発明の本質を理解するためには、その動作原理をよく理解する必要がある。すなわち、人体に対するＥＭＷの影響、とりわけＥＭＷと脳の関係についての科学的知見をよく知る必要がある。脳は、意識状態に応じて、必要とされる機能強度−ここでは機能頻度−に適応する。医学的には、ＥＭＷ発生源が近いほど、それによる有利な効果が強化される。このため、本発明の装置が最適に機能するには、脳にできる限り近接させる必要がある。そうして、ＥＭＷの有利な効果を及ぼすことができる。そのために、誘導コイルをヘッドバンドに内蔵し、脳の各部位に対するＥＭＷの影響範囲を最大限としている。
【００１４】
人体の器官、ここでは脳の電磁波に対する感受性は、その周波数、強度、暴露時間及び暴露場所による。いくつかの実施形態では、ＥＭＷの強度を、電場の強度Ｖ／ｍ（ボルト／メートル）あるいは磁場の強度Ｔ（テスラ）で表している。近距離のＧＳＭ装置からの暴露の場合、Ｗ／ｃｍ２が単位として持ちられることもある。このため、いくつかの実施形態では、ＧＳＭが人体の重要部位に望ましくない影響を与えないように、ケーブルを介してＧＳＭをヘッドバンドに接続した構成となっている。
【００１５】
他方で、集中、学習などの脳が活発な状態に比べて、睡眠、瞑想、緩和の状態では、周波が高いことが知られている。脳は非常に感受性の高い器官であり、外部からの刺激及び反復インパルスに影響を受けやすく、聴覚的、視覚的、あるいは電磁的な影響により脳機能の周波数は変更する。
【００１６】
また、高周波ＥＭＷは、中枢神経系、循環器系、ホルモン、生殖系などに関する人体の感受性高い部位に悪影響を及ぼすことが知られている。臨床的及び実験的知見によれば、低エネルギー（１０Ｗ／ｃｍ２以下又は０〜３００ＧＨｚの周波数スペクトル）の高周波への暴露によって、生命体の諸器官の機能状態に変化が及ぼされる（暴露時間が評価指数となる）。一方で、低周波ＥＭＷは脳の様々な状態に対して有利な効果を及ぼすことが知られており、多種多様な機器が人体、特に脳に各種の影響を与えることが確認されている。
【００１７】
人間は遠い昔から、意識状態を変えるために、極めて低い周波を利用していた。例えば、ドラムのリズム音を伴う瞑想、ゴングセラピー、炎の閃光によるトランス状態など。乗車している列車の車輪の単調な音もまた眠気を誘う。様々なピッチの様々な音楽リズムもまた、人体に影響を与える。ヴィヴァルディの四季とレイヴパーティーのビートとの知覚的な違いは何か？いずれにおいても脳は外部からのインパルスに適応しようとする。
【００１８】
いくつかの実施形態−周波シミュレータ−は、文化的背景、近年の研究、科学、新技術から得られる知見による産物であり、脳の機能を模擬し、これに刺激を与えて所望の活動をさせるものである。いくつかの実施形態では、短い磁気インパルスを異なるリズムで与えることにより、これを実現している。
【００１９】
いくつかの実施形態における周波シミュレータの基本機能は、アプリケーションソフトがプレインストールされた個人用携帯電話、タブレット、及び／又は他の機器によって実現される。いくつかの実施形態では、上述の電気インパルスの発生源として、所望の周波数及びパルス速度の電磁場を発生させるヘッドバンド内蔵の誘導コイルを備えたＧＳＭを用いる。
【００２０】
より正確には、いくつかの実施形態では、電磁誘導コイルをポリマー製のヘッドバンドに内蔵して、その属性（誘導性）によって、主に人体の頭部及び脳における体液循環及び電解質の移動に有利な効果を与える。コイルによるインパルス性刺激を適切な方法及びタイミングで使用することで、生命体としての人間の精神的・物理的状態に変化を起こすことができる。
【００２１】
いくつかの実施形態は、コイルをケーブル接続したＧＳＭ装置によって所望の周波数及び振幅時間枠の信号を発生させ、電磁場の作用によって人体（特に大脳の葉）に影響を及ぼすものである。人体の主要成分はＨ２Ｏであるので、いくつかの実施形態では、磁気パルスが組織の振動となりターゲットとする人体部位に影響を及ぼす。これが本装置の第１段階の機能（覚醒）である。
【００２２】
上述したように、電話機やタブレットその他の適切なプログラマブル電子機器を用いて、周波を発生させることができる。いくつかの実施形態では、所望の周波数を発生する１以上のプログラムを、Ｇｏｏｇｌｅ（登録商標）、Ａｎｄｏｒｏｉｄ（登録商標）、他のリポジトリ、及び／又はｉＯＳアップルストア上のアプリケーションとして利用可能であるが、これは本発明の必須要件ではない。我々は、繰り返し行った試験に基づき、本発明のヘッドバンドに利用する目的で、上記の周波数帯及び周期的インパルスの数値を提示する。
【００２３】
従来の様々な技術的解決手段がある中、ＧＳＭ電話機とソフトウェアとＥＭＷ発生源である誘導コイルの組み合わせにより、有用なインパルス周波数を発生するものは見つからなかった。
【００２４】
低周波インパルス発生器、ヘッドバンドのいずれについても、様々な種類、価格帯、目的、強度、その他カテゴリに属する製品、サプライヤが存在するが、有名どころとしては、米国のＢｒａｉｎ  Ｓｙｎｃ、カナダのＣｏｍｐｔｏｎｉｃ  Ｄｅｖｉｃｅｓ、米国のＩＢＶＡ  Ｔｅｃｈｎｏｌｏｇｉｅｓ  Ｉｎｃ．、米国のｌｕｃｉｄｉｔｙ  Ｉｎｓｕｔｉｔｕｔｅ、米国のＭｉｃｒｏｆｉｒｍ  Ｉｎｃ．、米国のＭｉｎｄｏ  Ｇｅａｒ  Ｉｎｃ．、ブランド名ＩＭＲＳ２０００で知られるデバイスがある。これらの製品は、革新的技術を本発明の技術分野に取り入れてホーリスティックな技術的解決手段を提供する先進的なデバイスである。上記のデバイスやこれらに類するデバイスは、おしなべて、独自のＥＭＷ発生源を有することである。これは言い換えると、フィルタリングしたり特定の電圧ループを生成するために、電源系統とヘッドバンドに多量の不要な電子部品及び配線を備える必要があるということである。
【００２５】
本発明の技術分野における調査の結果、人体各部位の痛み緩和から精神治療までの様々な目的用途に対応した、様々な周波インパルスの発生器を備えるヘッドセンサ、電極、発信器などに関する多くの特許出願があることが判明した。
【００２６】
スロベニア国特許第ＳＩ９５０００４８号は、２〜２４Ｈｚの周波数のパルス状磁場の発生器であり、特定の磁場の強度（単位はＴ）及び時間インパルスにおいて、人体の疼痛部分を治療するものが開示されている。これに対し、本発明のいくつかの実施形態では、この発生器をＧＳＭ装置に置換し、磁場の発生器として電極を使用しないこととしている。
【００２７】
スロベニア国特許第ＳＩ９８００１０８号は、個々のポイントにおける振幅を決定するために電極を利用するものである。これに対し、本発明のいくつかの実施形態では、全く逆の原理に従って、周期的インパルスであるノコギリ状の振幅を送出するものであり、所定の基本周波数をベースとして、実効のあるいは最適サイズ・強度の周波数インパルスが形成される。
【００２８】
独国特許第１０３０４８５号は、磁気療法のための機器と磁気療法に必要な電流を確保するための方法を開示するものであり、原則として、循環器系のパラメータ測定と心臓状態の治療を目的とする装置・機器に関するものである。その電気的回路の仕組みを詳しく見ると、ベースはセンサによるシグナル受信が可能な周波インパルスの発生器のようである。そうすると、この技術はＥＭＷによる磁気共鳴を利用したホーリスティック治療器であることは認められるとしても、本発明の革新的技術思想とは重なるところがないものである。
【００２９】
欧州特許第０９９５４６３号もまた、１〜１０００Ｈｚのパルス場の発生器に関するものである。これもまた、ＥＭＷの医療・治療目的で用いる広範囲スペクトルを発生する装置である。
【００３０】
国際公開ＷＯ１９９９／０６６９８６号パンフレットは、多数の磁気コイルからなる磁気治療器であり、ＥＭＷと鉄心のスピン共鳴を用いて特定の病気の診断及び治療に資するものである。鉄心を含む特定の構成からなる共鳴磁気装置によって、重病及び癌を治療診断するためのものである。
【００３１】
本発明の最も近い技術的解決手段を提供するものは、国際出願ＰＣＴ／ＵＳ０５／０３１８６７号であり、この出願は、電磁気の人体に対する効果を調節するための方法及び装置に関するものである。ここでもやはり、ＥＭＷ発生器は様々な周波数の電磁波を発生可能な独自ユニットであり、ヘッドバンドの使用を示唆するが、誘導コイルを使用するものではない。この誘導コイルの使用が本発明の基本思想のひとつである。
【００３２】
上述した特許による課題解決方法、上述しなかったもの、特許されなかった沢山の出願において、インパルス性の電磁波による低周波及び高周波発生装置を使用することを技術的解決手段としているが、これに対して本発明は以下の点において明確に異なるものである。
本発明のいくつかの実施形態では、コンダクタを介して又は無線で電磁場を発生するコイルへと供給される電気的インパルスの発生器として機能する携帯電話機、タブレット、及び／又は他の機器を、ヘッドバンドとは別個に備え、これらの組み合わせとして構成している。いくつかの実施形態では、周波数の変更や組み合わせによって、脳の自然状態−例えば、睡眠中、緩和中、学習・集中状態−における周波が生まれるような様々な効果を脳に与えることができる。特定の周波を与えることで、脳を所望の意識・稼動状態に“チーニング”することができる。今日に至るまで、本発明のように、適切なソフトウェアを備えたＧＳＭを誘導コイルを備えるヘッドバンドレシーバに接続することを実行した者はいないと我々は信ずる。
【００３３】
他方で、本発明の課題解決方法はこの分野において独自性及び新規性を有しており、これについては以下に説明するとともに、特許請求の範囲に記載する。
【発明の効果】
【００３４】
いくつかの実施形態では、設計における差異と技術的問題の解決手段において、少なくとも部分的に、新規性が見出せることが、装置の設計過程において明らかとなった。高い目標を設定したが、主要な特徴は、ＧＳＭ装置の新たな利用方法に関するコンセプトであり、これは（少なくともいくつかの実施形態において）、誘導コイルによって低周波電磁波を伝達する頭部用のイヤーマフ及び／又はバンドという、この技術分野では前例のないものとして実現されている。また同時に、これは予期せぬ効果や有用な特徴を備えた、用途が広く極めて商業的な製品である。
【図面の簡単な説明】
【００３５】
上述した本発明の特徴及び利点が実現されるよう、各実施形態は添付図面における図示を伴って、以下に詳細な説明がなされる。これらの図面は本発明の典型的な実施形態を描いたものに過ぎず、本発明の範囲を限定するものではないことを前提として、本発明のさらなる具体的内容と詳細を、添付図面を参照しながら以下に説明する。
【図１】本発明の一実施形態である、電源への有線接続を有する誘導コイルとパルス状周波発生器−ＧＳＭ−とを備えたヘッドバンドの基本構成を示す断面図である。
【図２】本発明の一実施形態である、電源への無線接続を有する誘導コイルとパルス状周波発生器−ＧＳＭ−とを備えたヘッドバンドの基本構成を示す断面図である。
【図３】本発明の一実施形態である、複数（２つ以上）の誘導コイルを備えたヘッドバンドの基本構成を示す断面図である。
【図４】本発明の一実施形態である、音響用イヤフォンと誘導コイルを備えたヘッドバンドの基本構成を示す断面図である。
【図５】本発明の一実施形態である、光源と誘導コイルを備えたヘッドバンドの基本構成を示す断面図である。
【発明を実施するための形態】
【００３６】
以下、本発明について説明する。
図１は、本発明の一実施形態である、電源への有線接続を有する誘導コイルとパルス状周波発生器とを備えたヘッドバンドの基本構成を示す断面図である。図２は、図１と同様の断面図であるが、電源及び周波インパルスが無線供給される実施形態を示すものである。図３は、ヘッドバンドの変形例を示すものであり、複数の誘導コルを備えることで脳の様々な部位に適用できる。図４は、ヘッドバンドが音響用イヤフォンを備えることで、電磁波による有利な効果を与えながら学習を行うことができるようにした実施形態を示すものである。図５は、ヘッドバンド、誘導コイル、光源を組み合わせたものを示しており、これらが相補的に作用しあって緩和状態へと導くことができる。
【００３７】
上記の本発明の革新的技術思想−ヘッドバンドの形態で説明したが−の簡潔な記載についてよりよく理解されるよう、以下に図面とともにさらに詳細に説明する。
【００３８】
図１は、本発明の一実施形態である、電源への有線接続を有する誘導コイルとパルス状周波発生器−ＧＳＭ−とを備えたヘッドバンドの基本構成を示す断面図である。
【００３９】
図２は、本発明の一実施形態である、電源への無線接続を有する誘導コイルとパルス状周波発生器−ＧＳＭ−とを備えたヘッドバンドの基本構成を示す断面図である。
【００４０】
図３は、本発明の一実施形態である、複数（２つ以上）の誘導コイルを備えたヘッドバンドの基本構成を示す断面図である。
【００４１】
図４は、本発明の一実施形態である、音響用イヤフォンと誘導コイルを備えたヘッドバンドの基本構成を示す断面図である。
【００４２】
図５は、本発明の一実施形態である、光源と誘導コイルを備えたヘッドバンドの基本構成を示す断面図である。
【００４３】
図１に示すのは、誘導コイル３が内蔵されたヘッドバンド４の断面図である。いくつかの実施形態では、誘導コイル３は、ケーブル２を介してＧＳＭ装置１に接続されている。ＧＳＭ装置１は電源及びパルス状周波の発生源として機能する。誘導コイル３は、銅製（Ｃｕ）又は他の適した材料からなる０．１ｍｍ〜０．８ｍｍ径（あるいは他の適した径）の配線を、鉄心となる鉄製（Ｆｅ）の薄板（及び／又は他の適した物体）に巻回した構成を備える。銅線の両端は引き込みケーブル２に接続されている。いくつかの実施形態では、引き込みケーブル２の長さは０．８ｍであるのが好ましい（しかし所望の長さとすることができる）。この引き込みケーブル２が、電源及びパルス状周波発生源であるＧＳＭ１からのをインパルスを伝達する。いくつかの実施形態では、コイル２がおよそ０．６ｍＴのＧＳＭ１の電磁場周波を発生する。このように誘導コイル３は簡素であるため、使用時の機能性、寸法、強度、形状は様々に変わりうる。接続先において用途目的（どのような状態を導きたいか）によって、上記の全ての属性を適宜変更することが可能である。
【００４４】
次に、本発明のいくつかの実施形態におけるユーザビリティについて、図２に示す変形例を参照しながら説明する。いくつかの実施形態では、ヘッドバンド４の誘導コイル３は、携帯電話ＧＳＭ装置１（あるいは他の装置）からの低周波インパルスを無線で受信する。この本発明の革新的アイデアにより設計された注目の製品について、以下に説明する。誘導コイル３とは別に、ヘッドバンド４の変形例としては、無線波を受信し電気的インパルスに変換して誘導コイル３の配線に伝達する電気的受信機とすることができる。この電気的受信機の変形例は、自由流通網において様々な形態で入手可能である。本発明においては価格決定に影響する部品のひとつである。この変形例では、ケーブル２を備える必要はない。
【００４５】
ヘッドバンド４のさらなる改良にあたり、図３に示すような、複数の誘導コイル３．１、３．２及び３．３を備える形態を考えるに至った。これは、一回の治療セッションで複数の脳の意識状態に同時に作用−誘導性インパルスの作用−できるようにしたいという考えから生まれたものである。つまり、ＧＳＭを伴うヘッドバンド４を使用して、一回の治療セッションで、所望の状態に導きながら、同時に瞑想させたり集中させたりすることができる。
【００４６】
図４は、本発明の実施形態を多目的用途に用いる例を示すものであり、誘導コイル３内蔵のヘッドバンド４に音響用イヤフォン５を付加することで、ヘッドバンド４は特に電磁波パルスを作用させながら学習を行う用途に適したものとなる。脳の記憶容量を拡張してより多くの情報を短期間で記憶することができるようにするために、このような人間の脳に作用する技術を利用する教育機関が存在する。
【００４７】
いくつかの実施形態では、図５に示すように、ヘッドバンド４と光源６を有する誘導コイル３を組み合わせて、得られる有利な効果を補足するものとしている。光のスペクトルが人間の脳の意識状態及び人体全体の器官に有利な効果を与えることが分かっているため、いくつかの実施形態では、図１及び図２に示すＧＳＭ１にインストールされたアプリケーションの一部であるソフトウェアによる制御のもと、上記の方法を使用して被験者の緩和状態を導き出している。いくつかの実施形態では、ＧＳＭ１にインストールされたアプリケーションは、選択されたプログラム又は導きたい状態に応じて周波数を決定するソフトウェアである。いくつかの実施形態では、アプリケーションは、睡眠導入、瞑想、高速学習、集中の各々に応じた周波数に対応する４つのプログラムを有する。
【００４８】
いくつかの実施形態では、周波インパルスは１又は２以上の正方形の波形からなり、振幅が垂直に上がり所定のＨｚ値まで達した後遮断されるという波形を繰り返すものとなっている。いくつかの実施形態では、この繰り返しがソフトウェアで規定された時間の間続けられる。いくつかの実施形態では、周波インパルスはプログラムに応じて調整される。いくつかの実施形態では、周波刺激機器によって脳に有利な効果を与える各プログラムが一時的に決められ、これが完了した際にそのプログラムが（図１及び図２に示す）ＧＳＭにインストールされるようになっている。
【００４９】
いくつかの実施形態では、ＧＳＭ装置１又は複数の周波数を同時に変化させるものである。これらの周波数は一定時間経過後修正されるので、いくつかの実施形態では、複数の周波数を組み合わせて用いることで、様々な効果を得ることができる。以下にその例を説明するが、これらは限定的なものではない。
【００５０】
適用例１：
−最初の周波数は約８〜１２Ｈｚ、軽度の緩和状態を導く
−４５秒以上経過後、周波数を３〜８Ｈｚとし、緩和状態から夢を見る状態に導く
−約４５秒経過後、周波数を０．１〜３Ｈｚに下げて、睡眠へと導く
効果：
被験者は緩和状態から眠りに落ちる。睡眠障害や偏頭痛に苦しむ人に極めて重要な効果である。通常、偏頭痛が起こっていても眠り続けることができる。
【００５１】
適用例２：
−ＧＳＭからの周波数を約１２〜１５Ｈｚの間とし、集中力を高める
−数分経過後、周波数を約１６〜１８Ｈｚに変更−精神的能力と集中力が向上する
効果：
被験者は、強い集中力が必要な難しい作業についてパフォーマンスが向上する。この実験の目的は、上記の２つの適用例にあるように、周波刺激機器−ヘッドバンドとＧＳＭを周波インパルスの発生源とする−が最適な効果を発揮できる周波数範囲を決定することである。
【００５２】
以下の表において、周波数ごとに推奨される用途を示す。
2018512049.tif 000003
このように、本発明のシステム及び方法のいくつかの実施形態によって、本発明の装置−低周波を用いる周波刺激機器−を用いて脳に対するコントロールを強化してこれらの状態に導くことができることが分かった。
【００５３】
この他、この実験では、様々な周波数が長時間人間の脳に照射された場合の効果の比較を行った。様々な被験者に対して複数の実験を行い、いくつかの実施形態では、以下に示すように、それぞれの条件における最適な照射の時間枠を明らかにした。
2018512049.tif 000004
【００５４】
本発明の周波刺激機器の技術的性能を示す第３の部分は、パルス状誘導磁場と従来のシステム及び装置との比較である。今日我々は、低周波パルス状電磁場を発生させる多種多様な電子機器を自由に利用することができる。周波数は、デルタ、シータ、アルファ、ローベータ、ミドルベータ、ハイベータの５つの基本グループに分類することができる。人間の脳は、その状態及び気分に応じて、これらの何れかの周波を発している。脳波はＥＧＧ（ＥｌｅｃｔｒｏＥｎｃｅｐｈａｌｏＧｒａｐｈ）によって記録することができる。脳波は常に変化している。
2018512049.tif 000005
上記の結果は、いくつかの実施形態について、他の現代的で非常に高価な機器に比べて、本発明の周波刺激機器が際立ったものであることを示している。
【００５５】
本発明は以下のような応用方法も考えられる。
−語学学校の高速学習プログラムにおいて脳下垂体を刺激する
−機能的磁気共鳴映像装置（ｆＭＲＩ）。ｆＭＲＩは、様々な作業を行っている時の特定の脳部位の活動を直接表示することができる。時間的及び部位的な脳の機能をグラフィカルに測定する手段として位置づけることができる。
−経頭蓋磁気刺激法（ＴＭＳ）は、脳の機能に作用する電気生理学的方法である。被験者にとって比較的負担が少ない方法であり、神経科学の分野で確立されている。様々な律動性を有する短い磁気パルスによって、大脳皮質上の特定部位を刺激することができる。いくつかの実施形態では、予め決まった特定の部位に対応した専用のコイルを置いて、磁気パルスを大脳皮質内に作用させ、弱電流を発生させることができる。ＴＭＳを用いて脳を撹乱させるような刺激を与えて、そのような人工的な撹乱状態が脳の特定の部位の作用に対してどのように影響するのかを知ることができる。また、いくつかの脳の疾病に対する治療法を研究する目的で、脳の作用を刺激するために利用することもできる。
【００５６】
いくつかの実施形態の周波刺激器では、世の中で多くの人に使用されている通常の携帯電話を利用することができる。いくつかの実施形態では、電磁インパルスの発生源として携帯電話を利用することができる。通常の携帯電話は周波数約４０．０００Ｈｚで動作するが、本発明の装置は０．１〜３０Ｈｚの範囲で動作する。
【００５７】
このように本発明は、幅広い用途において、人間の様々な意識状態に対する有利な刺激を様々な方法で利用することが可能である。
【００５８】
本発明は、その本質を逸脱しない範囲で、上記以外の形態で実施されることもあり得る。上述した実施形態、実施例、例示は、すべて本発明の説明のためのものであって、本発明を限定するように解釈されるべきものではない。上記に関わらず、本発明の範囲は、添付する特許請求の範囲によって規定されるものである。特許請求の範囲の記載と同質の範囲にとどまる変更は本発明の範囲に含まれる。さらに、本明細書において、「〜に」、「〜上に」、「〜に付加」、「〜に接続」などの表記は、ひとつの対象物（例えば、材料、要素、構造、部材など）が、他の対象物「に」、「上に」、「に付加」、「に接続」という意味であり、それは直接の関係である場合も他の物を介しての関係である場合も含まれる。また、方向に関する表記（例えば、前後、上下、横、上方下方、水平など）は相対的なものであり、説明のための便宜上の記載に過ぎず、本発明を限定するように解釈されるべきものではない。要素を列挙する場合（例えば、要素ａ，ｂ，ｃ）、それら要素のうちいずれか単独あるいはその一部又は全部の組み合わせを含むものとする。さらには、本明細書において用いる「ひとつの」の表記は、「少なくともひとつの」あるいは「ひとつ以上の」に置き換えることができる。
【図１】
2018512049.tif 000006
【図２】
2018512049.tif 000007
【図３】
2018512049.tif 000008
【図４】
2018512049.tif 000009
【図５】
2018512049.tif 000010
【国際調査報告】
2018512049.tif 000011
2018512049.tif 000012
2018512049.tif 000013